(57)【要約】【課題】天蓋付きベッドにおいて、火災発生時にベッドの周辺や天蓋内部に散水が行われるようにすることである。【解決手段】天蓋付きベッド（1）は、ベッド本体（10）と天井部材（43）及びカーテン（47）を備えた天蓋（40）とを備えている。天井部材（43）は、外周の天井枠（44）と水溶性紙からなる天井蓋（45）とを備えている。天蓋付きベッド（1）が設置された就寝室において、火災が発生して天井（C）のスプリンクラー（100）が作動すると、天井蓋（45）は、スプリンクラー（100）により散布される水を浴び、溶解して開口し、水が天蓋（40）内部に供給される。【選択図】図３
2007215566.tif 000002
【特許請求の範囲】
【請求項１】
ベッド本体（10）と、上記ベッド本体（10）の上方に配置される天井部材（43）及び一端が上記天井部材（43）に保持され他端が上記ベッド本体（10）の周縁部まで延びるカーテン（47）を有して上記ベッド本体（10）を覆う天蓋（40）とを備えた天蓋付きベッドであって、
上記天井部材（43）は、外周部の天井枠（44）と、該天井枠（44）を閉塞し且つ通水性素材又は水溶性素材からなる天井蓋（45）とを備えている
ことを特徴とする天蓋付きベッド。
【請求項２】
請求項１において、
上記天井蓋（45）は、上記天井枠（44）と着脱自在に構成されている
ことを特徴とする天蓋付きベッド。
【請求項３】
請求項１において、
上記天井蓋（45）の下方には、通水孔（48a）を有し且つ上記天井蓋（45）の下方を覆う保護板（48）が設けられている
ことを特徴とする天蓋付きベッド。
【請求項４】
ベッド本体（10）と、上記ベッド本体（10）の上方に配置される天井部材（43）及び一端が上記天井部材（43）に保持され他端が上記ベッド本体（10）の周縁部まで延びるカーテン（47）を有して上記ベッド本体（10）を覆う天蓋（40）とを備えた天蓋付きベッドであって、
上記カーテン（47）は、水溶性素材から構成されている
ことを特徴とする天蓋付きベッド。
【請求項５】
ベッド本体（10）と、
上記ベッド本体（10）の上方に配置される天井部材（43）及び一端が上記天井部材（43）に保持され他端が上記ベッド本体（10）の周縁部まで延びるカーテン（47）を有して上記ベッド本体（10）を覆う天蓋（40）と、
火災情報を出力する情報出力手段（50）と、
上記情報出力手段（50）が火災情報を出力すると、上記天蓋（40）を開状態にする開動手段（60）とを備えている
ことを特徴とする天蓋付きベッド。
【請求項６】
請求項５において、
上記開動手段（60）は、上記カーテン（47）を開状態とするように構成されている
ことを特徴とする天蓋付きベッド。
【請求項７】
請求項６において、
上記開動手段（60）は、上記天井部材（43）と上記カーテン（47）との保持を解除させる
ことを特徴とする天蓋付きベッド。
【請求項８】
請求項５において、
上記情報出力手段（50）は、上記天蓋（40）の外側に、水、煙、火炎及び熱の少なくとも何れか一つを検知する外側検知手段（51）を備えている
ことを特徴とする天蓋付きベッド。
【請求項９】
請求項５において、
上記情報出力手段（50）は、上記天蓋（40）の内側に、煙、火炎及び熱の少なくとも何れか一つを検知する内側検知手段（52）を備えている
ことを特徴とする天蓋付きベッド。
【請求項１０】
請求項５において、
上記情報出力手段（50）は、上記天蓋付きベッド（1）が設置された建物（110）内の火災設備（111,112,113）と一方向又は双方向に火災情報を送受信可能に構成されている
ことを特徴とする天蓋付きベッド。
【発明の詳細な説明】
【技術分野】
【０００１】
本発明は、天蓋付きベッドの散水障害対策に関するものである。
【背景技術】
【０００２】
従来から、ベッド本体と該ベッド本体の上方を覆って就寝空間を形成する覆い部材とを備え、就寝空間の空調状態の維持や就寝空間外からの光の遮断を行うベッドが知られている（例えば、特許文献１）。
【０００３】
特許文献１の睡眠カプセルは、就寝者が就寝する床台（ベッド）と、該床台の前部及び後部にそれぞれ形成された頭部板及び脚部板と、床台の両側部及び上方を覆って就寝空間を形成する幌式の覆い部材とを備えている。上記睡眠カプセルでは、床台に頭部空調系統と脚部空調系統とが収納される一方、頭部板及び脚部板には、それぞれ吹出口と吸込口とが形成されている。頭部空調系統で生成した調和空気は、頭部板の吹出口から供給された後に吸込口から吸い込まれる。一方、脚部空調系統で生成した調和空気は、脚部板の吹出口から供給された後に吸込口から吸い込まれる。そして、上記幌式の覆い部材により就寝空間が覆われることにより、就寝空間は就寝者に適した空調状態に維持される。
【０００４】
一方、最近では、ベッド本体を覆う覆い部材としてカーテン及び該カーテンを吊す天井部材を有する天蓋を備えた天蓋付きベッドの検討が行われている（特願２００６−２３１２５）。
【特許文献１】特開２００３−２３２５３７号公報
【発明の開示】
【発明が解決しようとする課題】
【０００５】
ところで、ベッドが設置された室内で火災が発生すると、消火のためにスプリンクラー等により散水が行われる。しかしながら、従来の睡眠カプセルでは、ベッドが覆い部材で覆われていると、覆い部材が散水障害となって覆い部材の内部やベッドの周辺に適切な散水が行われないという問題点があった。
【０００６】
特に、天蓋付きベッドにおいては、天井部材が樹脂や木材などを板状に形成したものが用いられているために、該天井部材を水が通過することが殆どなく、天蓋の内部に上方から水が供給されることは殆どなかった。また、天蓋のカーテンは、布材から構成されているものの通水性が十分とは言い難く、該カーテンも散水障害となるという問題点があった。
【０００７】
本発明は、かかる点に鑑みてなされたものであり、ベッド本体が天蓋で覆われた天蓋付きベッドにおいて、火災発生時にベッドの周辺や天蓋内部に確実に散水が行われるようにすることを目的とする。
【課題を解決するための手段】
【０００８】
第１の発明は、ベッド本体（10）と、上記ベッド本体（10）の上方に配置される天井部材（43）及び一端が上記天井部材（43）に保持され他端が上記ベッド本体（10）の周縁部まで延びるカーテン（47）を有して上記ベッド本体（10）を覆う天蓋（40）とを備えた天蓋付きベッドであって、上記天井部材（43）は、外周部の天井枠（44）と、該天井枠（44）を閉塞し且つ通水性素材又は水溶性素材からなる天井蓋（45）とを備えている。
【０００９】
この第１の発明において、通水性素材としては、例えば、布材等を用いることができ、水溶性素材としては、例えば、水溶性紙等を用いることができる。この第１の発明では、上記天井部材（43）の天井蓋（45）が通水性素材又は水溶性素材からなるので、火災が発生してスプリンクラー（100）等により散水が行われると、散布される水が天井枠（44）内を通過して天蓋（40）の内部に供給される。つまり、天井蓋（45）を通水性素材で構成した場合は、水が通水性素材の天井蓋（45）を通過して天蓋（40）内部に供給され、天井蓋（45）を水溶性素材で構成した場合は、水が天井蓋（45）が溶解することにより該天井蓋（45）を開口させて天蓋（40）内部に供給される。
【００１０】
第２の発明は、第１の発明において、上記天井蓋（45）は、上記天井枠（44）と着脱自在に構成されている。
【００１１】
この第２の発明では、上記天井蓋（45）が、散水によって湿ったり、溶解して開口したりした場合には、新しい天井蓋（45）に容易に取り替える。
【００１２】
第３の発明は、第１の発明において、上記天井蓋（45）の下方には、通水孔（48a）を有し且つ上記天井蓋（45）の下方を覆う保護板（48）が設けられている。
【００１３】
この第３の発明では、第１の発明より、上記天井蓋（45）は通水性素材や水溶性素材などの比較的強度が弱いもので作られている。そこで、天井蓋（45）の保護板（48）を設けることにより、天蓋（40）内部から就寝者が上方に向かって手を伸ばす等しても、天井蓋（45）に接触することがないようにして天井蓋（45）が破損することを防止する。また、上記保護板（48）は、通水孔（48a）を有しているので、散水時に散水障害となることがない。
【００１４】
第４の発明は、ベッド本体（10）と、上記ベッド本体（10）の上方に配置される天井部材（43）及び一端が上記天井部材（43）に保持され他端が上記ベッド本体（10）の周縁部まで延びるカーテン（47）を有して上記ベッド本体（10）を覆う天蓋（40）とを備えた天蓋付きベッドであって、上記カーテン（47）は、水溶性素材から構成されている。
【００１５】
この第４の発明では、上記カーテン（47）が水溶性素材から構成されているので、火災が発生してスプリンクラー（100）等により散水が行われると、散布される水がカーテン（47）が溶解する。これにより、従来の布材からなるカーテン（47）に比べて、確実に天蓋（40）内部及び天蓋付きベッド（1）の周辺に散水が行われる。
【００１６】
第５の発明は、ベッド本体（10）と、上記ベッド本体（10）の上方に配置される天井部材（43）及び一端が上記天井部材（43）に保持され他端が上記ベッド本体（10）の周縁部まで延びるカーテン（47）を有して上記ベッド本体（10）を覆う天蓋（40）と、火災情報を出力する情報出力手段（50）と、上記情報出力手段（50）が火災情報を出力すると、上記天蓋（40）を開状態にする開動手段（60）とを備えている。
【００１７】
この第５の発明において、情報出力手段（50）は、直接又は外部からの入力により火災情報を得て、該火災情報を出力する。そして、開動手段（60）は、上記情報出力手段（50）の出力した火災情報が入力されると、天蓋（40）の天井部材（43）及びカーテン（47）の少なくとも一部を開いて天蓋（40）を開状態にする。これにより、火災発生時に天蓋（40）が開状態にされるので、火災が発生してスプリンクラー（100）等による散水が行われると、散布される水が天蓋（40）内部及び天蓋付きベッド（1）の周辺に供給される。
【００１８】
第６の発明は、第５の発明において、上記開動手段（60）は、上記カーテン（47）を開状態とするように構成されている。
【００１９】
この第６の発明では、上記カーテン（47）はベッド本体（10）の上方から周縁部までを覆っているので、該カーテン（47）は開状態とすることにより、散布される水を確実に天蓋（40）内部及び天蓋付きベッド（1）の周辺に供給する。
【００２０】
第７の発明は、第６の発明において、上記開動手段（60）は、上記天井部材（43）と上記カーテン（47）との保持を解除させる。
【００２１】
この第７の発明では、上記開動手段（60）が上記天井部材（43）と上記カーテン（47）との保持を解除させるので、上記天井部材（43）から上記カーテン（47）が落下して、天蓋（40）が瞬時に開状態となる。
【００２２】
第８の発明は、第５の発明において、上記情報出力手段（50）は、上記天蓋（40）の外側に、水、煙、火炎及び熱の少なくとも何れか一つを検知する外側検知手段（51）を備えている。
【００２３】
この第８の発明において、水とは、火災によりスプリンクラー（100）等に散布される水であり、煙、火炎及び熱とは、火災により発生する煙、火炎及び高温の熱である。この第８の発明では、上記情報出力手段（50）が、外側検知手段（51）を備えているので、該外側検知手段（51）が、水、煙、火炎及び熱の少なくとも何れか一つを検知することにより、天蓋付きベッド（1）が置かれた就寝室における火災発生情報を得て、この火災発生情報を火災情報として出力する。
【００２４】
第９の発明は、第５の発明において、上記情報出力手段（50）は、上記天蓋（40）の内側に、煙、火炎及び熱の少なくとも何れか一つを検知する内側検知手段（52）を備えている。
【００２５】
この第９の発明において、煙、火炎及び熱とは、火災により発生する煙、火炎及び高温の熱である。この第９の発明では、上記情報出力手段（50）が、内側検知手段（52）を備えているので、上記内側検知手段（52）が、煙、火炎及び熱の少なくとも一つを検知することにより、天蓋（40）の内部の火災発生情報を得て、この火災発生情報を火災情報として出力する。
【００２６】
第１０の発明は、第５の発明において、上記情報出力手段（50）は、上記天蓋付きベッド（1）が設置された建物（110）内の火災設備（111,112,113）と一方向又は双方向に火災情報を送受信可能に構成されている。
【００２７】
この第１０の発明では、上記情報出力手段（50）が送信した火災情報を上記火災設備（111,112,113）が受信すること及び上記火災設備（111,112,113）が送信した火災情報を上記情報出力手段（50）が受信することの少なくとも何れか一方を行う。つまり、上記情報出力手段（50）から天蓋付きベッド（1）周辺で発生した火災情報を上記火災設備（111,112,113）に送信して天蓋付きベッド（1）周辺の火災情報を建物（110）内の他の場所に報知すること、及び上記情報出力手段（50）が上記火災設備（111,112,113）から建物（110）内の他の場所で発生した火災の情報を受信して開動手段（60）により天蓋（40）を開動させることの少なくとも何れか一方を行う。これにより、建物（110）全体としての火災による被害の縮小化を図る。
【発明の効果】
【００２８】
上記第１の発明によれば、上記天井部材（43）は、外周部の天井枠（44）と、該天井枠（44）を閉塞し且つ通水性素材又は水溶性素材からなる天井蓋（45）とを備えるようにしたために、火災が発生してスプリンクラー（100）等による散水が行われると、散布される水を天井枠（44）内を通過させて天蓋（40）の内部に供給することができる。つまり、天井蓋（45）を通水性素材で構成した場合は、水が通水性素材の天井蓋（45）を通過して天蓋（40）内部に供給することができ、天井蓋（45）を水溶性素材で構成した場合は、散水によって天井蓋（45）が溶解させることにより該天井蓋（45）を開口させて、水を天蓋（40）内部に供給することができる。これにより、天蓋（40）の内部においても確実に消火を行うことができる。
【００２９】
また、上記第２の発明によれば、上記天井蓋（45）は、上記天井枠（44）と着脱自在に構成したために、上記天井蓋（45）が、散水によって湿ったり、溶解して開口したりした場合には、新しい天井蓋（45）に容易に取り替えることができる。
【００３０】
また、上記第３の発明によれば、上記天井蓋（45）の下方に、通水孔（48a）を有し且つ上記天井蓋（45）の下方を覆う保護板（48）が設けたために、天蓋（40）内部から就寝者が上方に向かって手を伸ばす等しても、天井蓋（45）が接触されることがないので、天井蓋（45）が破損することを防止することができる。また、上記保護板（48）は、通水孔（48a）を有しているので、散水時に散水障害となることがない。
【００３１】
また、上記第４の発明によれば、上記天蓋（40）のカーテン（47）を水溶性素材から構成したために、火災が発生してスプリンクラー（100）等による散水が行われた場合は、散布される水によりカーテン（47）溶解することができる。これにより、従来の布材からなるカーテン（47）に比べて、確実に天蓋（40）内部及び天蓋付きベッド（1）の周辺に水を供給することができるので、確実に消火を行うことができる。
【００３２】
また、上記第５の発明によれば、火災情報を出力する情報出力手段（50）と、上記天蓋（40）を開状態にする開動手段（60）とを備えるようにしたために、火災発生時には、天蓋（40）を開状態とすることができるので、スプリンクラー（100）等により散布される水が、天蓋（40）内部及び天蓋付きベッド（1）の周辺に確実に供給される。これにより、天蓋（40）の内部及び天蓋付きベッド（1）の周辺において、確実に消火を行うことが
また、上記第６の発明によれば、上記開動手段（60）は、上記カーテン（47）を開状態とするようにしたために、火災が発生すると、ベッド本体（10）の上方から周縁部までを覆っているカーテン（47）が開状態となることから、散布される水を確実に天蓋（40）内部及び天蓋付きベッド（1）の周辺に供給することができる。
【００３３】
また、上記第７の発明によれば、上記開動手段（60）は、上記天井部材（43）と上記カーテン（47）との保持を解除させるようにしたために、火災が発生すると、上記天井部材（43）から上記カーテン（47）を落下させて瞬時に開状態とすることができる。
【００３４】
また、上記第８の発明によれば、上記情報出力手段（50）は、上記外側検知手段（51）を備えたために、上記外側検知手段（51）の検知により、天蓋付きベッド（1）が設置された就寝室における火災発生情報を得ることができるので、この火災発生情報を出力することにより、天蓋付きベッド（1）の置かれた就寝室の火災発生時に天蓋（40）を確実に開状態とすることができる。
【００３５】
また、上記第９の発明によれば、上記情報出力手段（50）は、上記内側検知手段（52）を備えたために、上記内側検知手段（52）の検知により、天蓋（40）の内部の火災発生情報を得ることができるので、この火災発生情報を出力することにより、天蓋（40）の内部の火災発生時に天蓋（40）を確実に開状態とすることができる。
【００３６】
また、上記第１０の発明によれば、上記情報出力手段（50）は、上記火災設備（111,112,113）と一方向又は双方向に火災情報を送受信可能に構成したために、上記情報出力手段（50）から天蓋付きベッド（1）周辺で発生した火災情報を上記火災設備（111,112,113）に送信して天蓋付きベッド（1）周辺の火災情報を建物（110）内の他の場所に報知すること、及び上記情報出力手段（50）が上記火災設備（111,112,113）から建物（110）内の他の場所で発生した火災の情報を受信して開動手段（60）により天蓋（40）を開状態にさせることの少なくとも何れか一方を行うことができる。これにより、天蓋付きベッド（1）が設置された建物（110）全体としての火災による被害の縮小化を図ることができる。
【発明を実施するための最良の形態】
【００３７】
以下、本発明の実施形態を図面に基づいて詳細に説明する。
【００３８】
《発明の実施形態１》
図１及び図２に示すように、実施形態１の天蓋付きベッド（1）は、ベッド本体（10）と該ベッド本体（10）を覆う天蓋（40）とを備えている。上記天蓋付きベッド（1）は、天井（C）にスプリンクラー（100）を備えた就寝室に設置されている。
【００３９】
〈ベッド本体の構成〉
ベッド本体（10）は、図１に示すように、寝台部（11）とヘッドボード（20）とを備えている。
【００４０】
上記寝台部（11）は、扁平な直方体の台状に形成されている。寝台部（11）の上には、就寝者が横たわるためのマットレス（13）が載置されている。上記マットレス（13）は、上記寝台部（11）の上面の面積よりも一回り小さく形成され、寝台部（11）の上面には、マットレス（13）のより露出した両側スペース（17）及び脚側スペース（16）が形成されている。
【００４１】
上記寝台部（11）の内部には、就寝者の脚側の空気調和を行う脚側空調ユニット（30）が収納されている。上記寝台部（11）の両側スペース（17）の就寝者の脚側に対応する位置には、脚側吹出口（18）が形成される一方、上記脚側スペース（16）の中央部には、脚側吸込口（19）が形成されている。上記脚側吹出口（18）は、脚側空調ユニット（30）で生成した調和空気を供給するためのものであり、脚側吸込口（19）は、脚側空調ユニット（30）に空気を取り込むためのものである。
【００４２】
また、上記寝台部（11）の脚側スペース（16）には、カーテン保持棒（15）が設けられている。該カーテン保持棒（15）は、寝台部（11）の上面と所定間隔を保って寝台部（11）の幅方向に延び、両側が下方に屈曲して寝台部（11）の脚側スペース（16）の両側に固定されている。該カーテン保持棒（15）は、後述する天蓋（40）のカーテン（47）が脚側スペース（16）の脚側吸込口（19）を塞ぐことを防止するためにカーテン（47）を保持するものである。
【００４３】
上記ヘッドボード（20）は、上記寝台部（11）の頭側の端部に立設されている。上記ヘッドボード（20）は、横長の扁平な矩形状の箱形に形成されている。上記ヘッドボード（20）には、就寝者の頭側の空気調和を行う頭側空調ユニット（31）が収納されている。また、上記ヘッドボード（20）の寝台部（11）側には、通風グリル（21）が設けられ、該通風グリル（21）の後方には図示しない頭側空調ユニット（31）の吹出口及び吸込口が設けられている。頭側空調ユニット（31）で生成した調和空気は、上記通風グリル（21）を介して就寝者の頭側に供給される一方、就寝者の頭側の空気が上記通風グリル（21）を介して頭側空調ユニット（31）に取り込まれる。
【００４４】
〈天蓋の構成〉
上記天蓋（40）は、図２に示すように、カーテン（47）と、該カーテン（47）を吊す天井部材（43）と、該天井部材（43）が支持紐（42）を介して垂下される支持部（41）とを備えている。
【００４５】
上記支持部（41）は、湾曲した棒状に形成され、一端がヘッドボード（20）の右側上端に固定され、他端が寝台部（11）の中央部上方に位置している。また、上記支持部（41）の他端には、支持紐（42）を保持する保持部（41a）が設けられている。
【００４６】
上記天井部材（43）は、本発明の特徴として、天井枠（44）と天井蓋（45）と保護板（48）とを備えている。
【００４７】
上記天井枠（44）は、環状に形成され、上記支持部（41）の保持部（41a）に保持された４本の支持紐（42）を介して上記支持部（41）に垂下されている。なお、天井枠（44）を支持部（41）により支持する方法は、特に限定されず、支持紐（42）の代わりに連結棒のようなものを用いて支持するようにしてもよい。
【００４８】
上記天井枠（44）には、略半分の領域に亘って該天井枠（44）を上下に分断する円弧状のスリット（44a）が形成されている。一方、上記天井枠（44）の他の領域の内周面には、該スリット（44a）と対向するように、円弧状の載置溝（44b）が設けられている。
【００４９】
上記天井蓋（45）は、水溶性紙を上記天井枠（44）の環状と略同じ大きさの外周を有する円形状に形成したものである。該天井蓋（45）は、上記天井枠（44）の外側から上記スリット（44a）を通って上記載置溝（44b）の位置まで挿入されることにより、上記天井枠（44）に取り付けられ、該天井枠（44）を閉塞している。つまり、上記天井蓋（45）は、上記天井枠（44）のスリット（44a）を横方向に入出可能に構成されることにより、上記天井枠（44）に着脱自在に構成されている。
【００５０】
上記保護板（48）は、金属製又は樹脂製の線材をメッシュ状で上記天井枠（44）の環状と略同じ大きさの外周を有する円形状に形成したものである。上記保護板（48）は、上記天井蓋（45）の下方に、該天井蓋（45）と所定間隔離隔されて天井枠（44）に取り付けられいる。また、上記保護板（48）では、メッシュの網目の間が通水孔（48a）に構成されている。なお、保護板（48）の構成は、特に限定されず、上記天井蓋（45）の下方を覆って且つ通水孔（48a）を有していればよい。
【００５１】
上記カーテン（47）は、略長方形状の布材からなり、短辺方向が上下方向となるように、上記天井部材（43）の天井枠（44）に吊されている。つまり、上記カーテン（47）の上端側が、カーテンフックなどを介して上記天井枠（44）に固定されている。一方、上記カーテン（47）の下端側は、上記ベッド本体（10）の周縁部まで延びている。このように、上記ベッド本体（10）は天蓋（40）に覆われる。
【００５２】
−動作−
就寝者が上記天蓋付きベッド（1）の天蓋（40）内部で就寝を開始すると、上記各空調ユニット（30,31）が起動する。ベッド本体（10）は、天蓋（40）で覆われているので、天蓋（40）内部は快適な空調状態に維持される。
【００５３】
そして、上記天蓋付きベッド（1）が置かれた就寝室内で、火災が発生すると、図３に示すように、就寝室のスプリンクラー（100）が作動して散水が開始され、消火が行われる。ここで、カーテン（47）は布材から構成されているので、カーテン（47）に散布された水の一部は、該カーテン（47）を通過して天蓋（40）の内部に供給される。また、上記天井蓋（45）は、水溶性紙からできているので、図３に示すように、散布される水を浴びて徐々に溶解して開口する。これにより、スプリンクラー（100）から散布される水は、天井蓋（45）の開口を通って天蓋（40）の内部に確実に供給される。
【００５４】
散水による消火が終わると、溶解により開口した天井蓋（45）を新たな天井蓋（45）に取り替える。この際、新たな天井蓋（45）は、天井枠（44）のスリット（44a）から載置溝（44b）まで挿入されることにより、上記天井枠（44）に取り付けられる。
【００５５】
−実施形態１の効果−
上記天蓋付きベッド（1）では、天蓋（40）の天井部材（43）の天井蓋（45）を水溶性紙で構成したために、スプリンクラー（100）から散水が行われると、散布される水により天井蓋（45）が開口して、水を天蓋（40）の内部に供給することができる。これにより、天蓋（40）の内部においても確実に消火を行うことができる。
【００５６】
また、上記天井蓋（45）の下方に保護板（48）を設けたことにより、天蓋（40）内部から就寝者が上方に向かって手を伸ばす等しても、上記天井蓋（45）が破損することを防止することができる。また、上記保護板（48）はメッシュ状に形成されて通水孔（48a）を有しているので、開口した天井蓋（45）からスプリンクラー（100）の水が供給される際に、保護板（48）が散水障害となることなく、水は通水孔（48a）を通って確実に天蓋（40）内部に供給することができる。
【００５７】
また、上記天井蓋（45）を天井枠（44）のスリット（44a）から横方向に入出可能にすることにより天井枠（44）と着脱自在に構成したために、散水によって天井蓋（45）が溶解した場合は、新しい天井蓋（45）を容易に取り付けることができる。
【００５８】
−実施形態１の変形例−
上記実施形態１は、天蓋（40）の天井蓋（45）を水溶性紙で作ったが、カーテン（47）を水溶性紙から構成してもよい。これにより、散水時には、カーテン（47）が溶解することから、天蓋付きベッド（1）の天蓋（40）内部及び天蓋付きベッド（1）の周辺に確実に散水を行うことができる。
【００５９】
また、天井蓋（45）及びカーテン（47）を共に水溶性紙で作ってもよい。これにより、散水時には、ベッド本体（10）を覆うものは殆どなくなることから、より確実に散水を行うことができる。
【００６０】
また、上記実施形態１は、天蓋（40）の天井蓋（45）を水溶性紙で作ったが、天井蓋（45）をカーテン（47）と同様に通水性素材である布材で構成してもよい。つまり、上記天井蓋（45）を布材で構成すれば、スプリンクラー（100）等により散布される水は、天井蓋（45）を通過して天蓋（40）内部に供給される。また、天井蓋（45）を布材で構成すれば、散水により天井蓋（45）が溶解して破損することがないので、散水により湿潤しても、乾燥させて再度利用することができる。
【００６１】
《発明の実施形態２》
図４に示すように、実施形態２の天蓋付きベッド（1）は、天蓋（40）の構成が実施形態１と異なる一方、火災情報部（50）とカーテン開動部（60）とを備えている。
【００６２】
本実施形態では、天蓋（40）の天井部材（43）は、天井枠（44）と天井蓋（45）と複数のカーテンフック（49）とを備えている。
【００６３】
上記天井枠（44）は、環状に形成され、上記支持部（41）の保持部（41a）に保持された４本の支持紐（42）を介して上記支持部（41）に垂下されている。また、上記天井蓋（45）は、樹脂等を上記天井枠（44）の環状と同じ大きさの外周を有する円形状に形成したものであり、上記天井枠（44）を閉塞するように、該天井枠（44）に固定されている。
【００６４】
上記天井枠（44）の下端側は、カーテンレール状に形成され、複数のカーテンフック（49）が移動自在に保持されている。
【００６５】
上記カーテン（47）は、略長方形状の布材からなり、上端が、上記天井枠（44）に複数のカーテンフック（49）を介して保持されている。一方、上記カーテン（47）の下端側が、下端側が上記ベッド本体（10）の周縁部まで延びている。このように、上記ベッド本体（10）は、天蓋（40）に覆われている。
【００６６】
上記火災情報部（50）は、外側センサ（51）及び内側センサ（52）とを備え、火災情報を出力する情報出力手段に構成されている。
【００６７】
上記外側センサ（51）は、上記天井枠（44）において天蓋（40）の外側に配置され、水を検知するものであり、外側検知手段に構成されている。つまり、上記外側センサ（51）は、火災により作動するスプリンクラー（100）が散布する水を検知するものである。上記外側センサ（51）は、水検知を行うと、天蓋付きベッド（1）が設置された就寝室における火災が発生したと判断して火災発生信号を出力するように構成されている。なお、上記外側センサ（51）の構成は、特に限定されず、煙、火炎及び熱を検知するものであってもよい。
【００６８】
上記内側センサ（52）は、上記天井枠（44）において天蓋（40）の内側に配置され、煙を検知するものであり、内側検知手段に構成されている。つまり、上記内側センサ（52）は、火災により発生する煙を検知するものである。上記内側センサ（52）は、煙検知を行うと天蓋（40）内部で火災が発生したと判断して火災発生信号を出力するように構成されている。なお、上記内側センサ（52）の構成は、特に限定されず、火炎及び熱を検知するものであってもよい。
【００６９】
上記カーテン開動部（60）は、上記カーテンフック（49）を天井枠（44）に沿って移動させるためのモーター（図示省略）と、該モータを起動させるモータ起動部（60a）とを備えている。上記カーテン開動部（60）では、上記各センサ（51,52）の何れかが出力した火災発生信号が上記モータ起動部（60a）に入力されると、該モータ起動部（60a）によりモーターが起動されるように構成されている。つまり、上記カーテン開動部（60）は、モータが起動されることによりカーテンフック（49）を移動させてカーテン（47）を開くものであり、開動手段に構成されている。
【００７０】
−動作−
就寝者が上記天蓋付きベッド（1）で就寝すると、上記各空調ユニット（30,31）が起動し、天蓋（40）内部は快適な空調状態に維持される。
【００７１】
そして、上記天蓋付きベッド（1）が設置された就寝室において火災が発生した場合、スプリンクラー（100）の散水が開始される。火災情報部（50）の外側センサ（51）は、スプリンクラー（100）の水を検知し、該外側センサ（51）は、上記カーテン開動部（60）のモータ起動部（60a）に火災発生信号を出力する。これにより、モータ起動部（60a）が該火災発生信号の入力を受けてモータを起動させ、図５に示すように、カーテンフック（49）が天井枠（44）を移動してカーテン（47）が横方向に開かれる。このように、スプリンクラー（100）に散布される水が、天蓋（40）内部及び天蓋付きベッド（1）の周辺に確実に供給される。
【００７２】
一方、上記天蓋付きベッド（1）の天蓋（40）内部で火災が発生した場合、内側センサ（52）が天蓋（40）内部の火災により発生した煙を検知し、該内側センサ（52）は、上記カーテン開動部（60）のモータ起動部（60a）に火災発生信号を出力する。これにより、モータ起動部（60a）が該火災発生信号の入力を受けてモータを起動させ、図５に示すように、カーテンフック（49）が天井枠（44）を移動してカーテン（47）が横方向に開かれる。このように、天蓋（40）内部で火災が発生した場合には、スプリンクラー（100）の作動に先立ってカーテン（47）が開かれ、スプリンクラー（100）作動時には、散布される水が天蓋（40）内部及び天蓋付きベッド（1）の周辺に確実に供給される。
【００７３】
−実施形態２の効果−
本実施形態の天蓋付きベッド（1）では、上記火災情報部（50）と上記カーテン開動部（60）とを備えたために、火災が発生すると、ベッド本体（10）の上方から周縁部までを覆っているカーテン（47）を横方向に開くことができるので、スプリンクラー（100）により散布される水を確実に天蓋（40）内部及び天蓋付きベッド（1）の周辺に供給することができる。これにより、確実に火災を消火することができる。
【００７４】
また、火災情報部（50）は、外側センサ（51）と内側センサ（52）とを備えるようにしたために、上記天蓋付きベッド（1）が設置された就寝室の火災の発生情報と上記天蓋（40）内部の火災の発生情報とを出力することができる。これにより、上記カーテン開動部（60）は、天蓋付きベッド（1）が設置された就寝室及び天蓋（40）内部の火災発生情報に迅速に対応してカーテン（47）を開状態とすることができる。
【００７５】
−実施形態２の変形例−
実施形態２の変形例は、上記実施形態２が天蓋（40）のカーテン（47）を、横方向に開いたことに代わり、図６に示すように、天井部材（43）とカーテン（47）との保持を解除してカーテン（47）を落下させることにより、天蓋（40）を開状態にするものである。
【００７６】
具体的に、本実施形態では、上記カーテン（47）の上端は、カーテンフック（49）に挟持されることにより上記天井部材（43）に保持されている。また、本実施形態では、カーテン開動部（60）が、挟持解除部（60a）を備えている。
【００７７】
天蓋付きベッド（1）が置かれた就寝室で火災が発生して外側センサ（51）がスプリンクラー（100）に散布される水を検知したり、天蓋（40）内部で火災が発生して内側センサ（52）が煙を検知すると、外側センサ（51）又は内側センサ（52）から火災発生信号が出力され、該火災発生信号がカーテン開動部（60）の挟持解除部（60a）に入力される。これにより、図６に示すように、上記挟持解除部（60a）は、カーテンフック（49）によるカーテン（47）の挟持を解除させ、カーテンが下方に落下する。
【００７８】
本実施形態では、上記カーテンフック（49）がカーテン（47）を落下させるので、天蓋（40）のカーテン（47）を瞬時に開状態とすることができる。また、実施形態２のように、カーテン（47）が完全に開状態になるまでモータを継続的に起動し続ける必要なく、挟持状態から非挟持状態にする１回の動作によりカーテン（47）を開状態とすることができるので、制御が簡単である。
【００７９】
その他の構成、作用及び効果は実施形態２と同じである。
【００８０】
《発明の実施形態３》
実施形態３の天蓋付きベッド（1）は、図７に示すように、火災情報部（50）がセンサ（51,52）に加えて受信部（53）を備え、該火災情報部（50）が天蓋付きベッド（1）が設置された建物（110）内の火災設備（111,112,113）と双方向に火災情報の送受信を行うようにしたものである。
【００８１】
具体的に、天蓋付きベッド（1）は、上記建物（110）内の就寝室（R1）に設置されている。一方、上記建物（110）は、火災などの情報を管理する管理室（R2）を備え、該管理室（R2）には、火災監視盤（111）が設けられている。上記建物（110）内には、煙、火炎及び熱などによって火災を検知する火災検知器（112）と火災を報知する火災報知器（113）とが適宜設置されている。
【００８２】
天蓋付きベッド（1）の火災情報部（50）の各センサ（51,52）は、水又は煙を検知をすると、実施形態２と同様に上記カーテン開動部（60）に火災発生信号を出力してカーテン（47）を開状態にすると共に、上記管理室（R2）の火災監視盤（111）に火災発生信号を出力するように構成されている。また、上記建物（110）内の各火災検知器（112）は、火災を検知すると、火災発生信号を上記火災監視盤（111）に出力するように構成されている。
【００８３】
上記火災監視盤（111）は、上記各センサ（51,52）及び火災検知器（112）が出力した火災発生信号が入力されると、火災報知器（113）に起動信号を出力するように構成されている。上記火災報知器（113）は起動信号が入力されることにより、火災の報知を行うように構成されている。つまり、上記火災報知器（113）では、火災監視盤（111）を介して天蓋付きベッド（1）周辺の火災の発生と火災検知器（112）で検知した火災の発生とを報知するように構成されている。
【００８４】
また、上記火災監視盤（111）は、上記火災検知器（112）が出力した火災発生信号が入力されると、上記天蓋付きベッド（1）の火災情報部（50）の受信部（53）に火災発生信号を出力するように構成されている。上記火災情報部（50）の受信部（53）は、上記火災情報部（50）が出力した火災発生信号が入力されると、カーテン開動部（60）に火災発生信号を出力してカーテン（47）を開状態にするように構成されている。つまり、本実施形態のカーテン開動部（60）には、実施形態２と同様に各センサ（51,52）から火災発生信号が入力されると共に、火災検知器（112）が出力した火災発生信号が、火災監視盤（111）及び受信部（53）を介して入力されるように構成されている。
【００８５】
−動作−
〈天蓋付きベッドから火災設備への情報送信〉
上記天蓋付きベッド（1）の火災情報部（50）のセンサ（51,52）により、天蓋付きベッド（1）周辺の火災が検知されると、上記センサ（51,52）は、実施形態２と同様に、上記カーテン（47）を開状態にさせると共に、上記管理室（R2）の火災監視盤（111）に火災発生信号を出力する。上記火災監視盤（111）では、該火災発生信号が入力されて建物（110）内の火災報知器（113）に起動信号を出力する。これにより、火災報知器（113）が起動して火災の報知を行う。これにより、建物（110）内の他の部屋に、就寝室（R1）で火災が発生していることが報知される。
【００８６】
〈火災設備から天蓋付きベッドへの情報送信〉
上記火災検知器（112）が火災を検知すると、該火災検知器（112）から上記管理室（R2）の火災監視盤（111）に火災発生信号が出力される。上記火災監視盤（111）は、入力された火災発生信号を建物（110）内の火災報知器（113）に起動信号を出力して火災報知器（113）を起動させると共に、上記天蓋付きベッド（1）の火災情報部（50）の受信部（53）に火災発生信号を出力する。
【００８７】
上記火災情報部（50）の受信部（53）に火災発生信号が入力されると、該受信部（53）は、カーテン開動部（60）に火災発生信号を出力してカーテン（47）を開状態とする。つまり、上記天蓋付きベッド（1）が設置された就寝室（R1）で火災が発生してない場合であっても、建物（110）内の他の場所で発生した火災の情報により、天蓋（40）のカーテン（47）が開かれる。これにより、建物（110）内の他の部屋からの火災が上記就寝室（R1）に広がる場合に備えてカーテン（47）を開状態にして、天蓋（40）が散水障害となることを防止する。
【００８８】
−実施形態３の効果−
本実施形態では、上記天蓋付きベッド（1）の火災情報部（50）が、上記建物（110）内の火災設備（111,112,113）と火災情報の送受信を行うようにしたことにより、上記火災情報部（50）から天蓋付きベッド（1）周辺で発生した火災情報を上記火災設備（111,112,113）に送信することができると共に、上記火災情報部（50）の受信部（53）が上記火災監視盤（111）を介して火災検知器（112）が検知した建物（110）内の他の場所で発生した火災の情報を受信することができる。これにより、天蓋付きベッド（1）周辺の火災が発生したことを、建物（110）内の他の場所に報知することができると共に、建物（110）内の他の場所で火災が発生した場合は、就寝室（R1）に火災が広がるのに先立ってカーテン（47）を開いて天蓋（40）が散水障害となることを防止することができる。
【００８９】
このように、天蓋付きベッド（1）が設置された建物（110）全体としての火災による被害の縮小化を図ることができる。
【００９０】
−実施形態３の変形例−
上記実施形態３では、火災情報部（50）と火災監視盤（111）とが双方向に情報を伝達し合うようにしたが、一方向であってもよい。
【００９１】
また、上記実施形態３では、火災情報部（50）の受信部（53）には、火災監視盤（111）を介して火災検知器（112）で検知した火災発生信号が入力されたが、受信部（53）には、火災検知器（112）から火災発生信号が直接入力されるようにしてもよい。同様に、火災情報部（50）の各センサ（51,52）で検知した情報は、火災監視盤（111）を介して火災報知器（113）に入力されたが、各センサ（51,52）から火災報知器（113）に直接入力されるようにしてもよい。
【００９２】
《その他の実施形態》
上記実施形態については、以下のような構成としてもよい。
【００９３】
上記実施形態１において、天蓋付きベッド（1）のベッド本体（10）の構成は特に限定されない。つまり、寝台部（11）、ヘッドボード（20）、マットレス（13）の形状は特に限定されず、就寝者が就寝できるものであればよい。また、ベッド本体（10）は、空調ユニット（30,31）を備えていなくてもよい。
【００９４】
また、上記実施形態１において、天井枠（44）に天井蓋（45）を着脱自在に取り付けるための構成は、スリット（44a）を設ける構成に限定されない。例えば、水溶性紙からなる天井蓋（45）の外周部に天井枠（44）の上端を嵌合するための嵌合部を設けて、該嵌合部を天井枠（44）の上から嵌合させることにより天井蓋（45）を天井枠（44）に取り付け、嵌合を解除することにより天井枠（44）から天井蓋（45）を取り外す等してもよい。
【００９５】
また、上記実施形態２は、カーテンフック（49）を移動させることにより、カーテン（47）を横方向に開かせたが、カーテン（47）を開く方法は特に限定されず、例えば、カーテン（47）が天井枠（44）の方向に（上方に）引っ張られたり、巻き上げたりすることにより開状態になるような構成であってもよい。さらに、上記実施形態２は、カーテン（47）を開状態としたが、第５の発明においては、天蓋（40）の天井部材（43）の部分を開状態としてもよい。例えば、天井蓋（45）がスライドして天井枠（44）内が開口するような構成であってもよい。
【００９６】
また、上記実施形態１及び２の構成を組み合わせてもよい。つまり、天蓋（40）の天井蓋（45）は、水溶性素材で構成し、カーテン（47）は、センサ（51,52）の検知により開状態になるようにしてもよい。
【００９７】
また、上記各実施形態では、天蓋付きベッド（1）に就寝者が就寝しているか否かに拘わらず、同様の動作を行うようにしてもよい。つまり、実施形態２及び３において、就寝者が就寝していない状況であっても、各センサ（51,52）が検知動作を行い、カーテン開動部（60）が開動動作を行う等してもよい。
【００９８】
なお、以上の実施形態は、本質的に好ましい例示であって、本発明、その適用物、あるいはその用途の範囲を制限することを意図するものではない。
【産業上の利用可能性】
【００９９】
以上説明したように、本発明は、天蓋付きベッドの散水障害対策について有用である。
【図面の簡単な説明】
【０１００】
【図１】実施形態１に係る天蓋付きベッドの天蓋を取り外した状態におけるベッド本体を示す斜視図である。
【図２】実施形態１に係る天蓋付きベッドのベッド本体を天蓋で覆った状態を示す斜視図である。
【図３】実施形態１に係る天蓋付きベッドの散水時の動作を示す斜視図である。
【図４】実施形態２に係る天蓋付きベッドのベッド本体を天蓋で覆った状態を示す斜視図である。
【図５】実施形態２に係る天蓋付きベッドのカーテン開動動作を示す斜視図である。
【図６】実施形態２の変形例に係る天蓋付きベッドのカーテン開動動作を示す斜視図である。
【図７】実施形態３に係る天蓋付きベッドが設置された建物内の火災情報の送受信を示す概略構成図である。
【符号の説明】
【０１０１】
1     天蓋付きベッド
10    ベッド本体
40    天蓋
43    天井部材
44    天井枠
45    天井蓋
47    カーテン
48    保護板
50    火災情報部（情報出力手段）
51    外側センサ（外側検知手段）
52    内側センサ（内側検知手段）
60    カーテン開動部（開動手段）
110   建物
111   火災監視盤（火災設備）
112   火災検知器（火災設備）
113   火災報知器（火災設備）
【図１】
2007215566.tif 000003
【図２】
2007215566.tif 000004
【図３】
2007215566.tif 000005
【図４】
2007215566.tif 000006
【図５】
2007215566.tif 000007
【図６】
2007215566.tif 000008
【図７】
2007215566.tif 000009